(57)【要約】    【課題】  光記録装置において、発光素子から照射された光の光記録媒体からの反射戻り光が所定値以上であるか否かを検出して該発光素子から照射される光強度を制御することを可能とする。    【解決手段】  本体１内部に設けられた発光素子２で光記録媒体６に対しその材料の光反射率を変化させる光を照射し、この発光素子２から照射される光の強度をパワー制御回路３により制御し、上記本体１内部の先端部近傍に設けられた受光素子４で、上記発光素子２から照射されて光記録媒体６から反射される反射戻り光を検出し、この受光素子４の検出信号を入力して上記光記録媒体６からの反射戻り光が所定値以上であるか否かを反射光検出部５により検出し、上記反射光検出部５の検出結果を入力して上記パワー制御回路３により上記発光素子２からの光強度を制御するものである。【選択図】    図１
2006018921.tif 000002
【特許請求の範囲】
【請求項１】
照射される光の少なくとも強度によって光反射率が変化する材料で形成された光記録媒体に、光を照射して画像の書き込み、消去を行う光記録装置であって、
本体内部に設けられ、上記光記録媒体に対しその材料の光反射率を変化させる光を照射する発光素子と、
この発光素子から照射される光の強度を制御するパワー制御回路と、
上記本体内部の先端部近傍に設けられ、上記発光素子から照射されて光記録媒体から反射される反射戻り光を検出する受光素子と、
この受光素子の検出信号を入力して上記光記録媒体からの反射戻り光が所定値以上であるか否かを検出する反射光検出部と、
を備え、上記反射光検出部の検出結果を入力して上記パワー制御回路により上記発光素子からの光強度を制御することを特徴とする光記録装置。
【請求項２】
上記パワー制御回路は、上記反射光検出部で検出した反射戻り光が所定値以上の場合は上記発光素子の光強度を駆動状態に大きくし、反射戻り光が所定値未満の場合は上記発光素子の光強度を非駆動状態に小さくすることを特徴とする請求項１記載の光記録装置。
【請求項３】
上記受光素子は、上記発光素子の出力光軸を中心としてその周囲に設けたことを特徴とする請求項１記載の光記録装置。
【請求項４】
上記受光素子は、複数個の略等しい形状のものが、上記発光素子の出力光軸の周りに配置されていることを特徴とする請求項３記載の光記録装置。
【請求項５】
上記受光素子は、中心部に孔を有するドーナツ形状のものが、上記発光素子の出力光軸を中心として配置されていることを特徴とする請求項３記載の光記録装置。
【請求項６】
上記光記録媒体上に一定間隔で形成され、案内手段となる光反射率の異なる複数個のマークからの反射戻り光を検出する受光素子の検出信号を入力して、上記本体を移動操作する際の移動速度を検出する移動速度検出部を更に設け、この移動速度検出部の検出結果を入力して上記パワー制御回路により上記発光素子からの光強度を制御することを特徴とする請求項１記載の光記録装置。
【請求項７】
上記パワー制御回路は、上記移動速度検出部で検出した移動速度が速い場合は上記発光素子の光強度を大きくし、移動速度が遅い場合は上記発光素子の光強度を小さくすることを特徴とする請求項６記載の光記録装置。
【発明の詳細な説明】
【技術分野】
【０００１】
本発明は、照射される光によって光反射率が変化する材料で形成された光記録媒体に、発光素子から光を照射して画像の書き込み、消去を行う光記録装置に関し、詳しくは、上記発光素子から照射された光の光記録媒体からの反射戻り光が所定値以上であるか否かを検出して該発光素子から照射される光強度を制御することができる光記録装置に係るものである。
【背景技術】
【０００２】
従来のこの種の光記録装置は、感光層を支持基板上に形成してなる光記録媒体（可逆画像記録表示媒体）に対して、ペン型の記録器具によってその先端部から紫外光或いは可視光を照射し、上記可逆画像記録表示媒体に画像の書き込み、消去を行うものが提案されている。そして、上記ペン型の記録器具は、先端部を含む記録器具の一部がその長手方向にスライドし得る構造とされており、上記先端部に適当な大きさの圧力が加えられているときにのみレーザダイオード等の光源から紫外光或いは可視光を照射し、該先端部に圧力が加えられないときは紫外光及び可視光を照射しないようになっている（例えば、特許文献１参照）。
【特許文献１】特開２００３−１５２５７号公報
【発明の開示】
【発明が解決しようとする課題】
【０００３】
上記従来の光記録装置においては、ペン型の記録器具から紫外光或いは可視光を照射するレーザダイオードからのレーザ光のオン、オフ制御は、該記録器具の先端部に加えられる圧力の有無を検出して制御するようになっているので、ペン型の記録器具の先端部が可逆画像記録表示媒体に接触するとレーザ光を出力し、その先端部が可逆画像記録表示媒体から離れるとレーザ光を停止するようになっている。しかし、この場合は、上記ペン型の記録器具の先端部が可逆画像記録表示媒体に接触していないときには、画像の書き込みや消去ができないこととなる。また、操作者が誤って上記記録器具の先端部に指等を触れたときには、強度の大きいレーザ光が出力されてしまい、それが操作者の眼に入射した場合は、その眼を傷つける虞があった。
【０００４】
そこで、本発明は、このような問題点に対処し、発光素子から照射された光の光記録媒体からの反射戻り光が所定値以上であるか否かを検出して該発光素子から照射される光強度を制御することができる光記録装置を提供することを目的とする。
【課題を解決するための手段】
【０００５】
上記目的を達成するために、本発明による光記録装置は、照射される光の少なくとも強度によって光反射率が変化する材料で形成された光記録媒体に、光を照射して画像の書き込み、消去を行う光記録装置であって、本体内部に設けられ、上記光記録媒体に対しその材料の光反射率を変化させる光を照射する発光素子と、この発光素子から照射される光の強度を制御するパワー制御回路と、上記本体内部の先端部近傍に設けられ、上記発光素子から照射されて光記録媒体から反射される反射戻り光を検出する受光素子と、この受光素子の検出信号を入力して上記光記録媒体からの反射戻り光が所定値以上であるか否かを検出する反射光検出部と、を備え、上記反射光検出部の検出結果を入力して上記パワー制御回路により上記発光素子からの光強度を制御するものである。
【０００６】
このような構成により、本体内部に設けられた発光素子で光記録媒体に対しその材料の光反射率を変化させる光を照射し、この発光素子から照射される光の強度をパワー制御回路により制御し、上記本体内部の先端部近傍に設けられた受光素子で、上記発光素子から照射されて光記録媒体から反射される反射戻り光を検出し、この受光素子の検出信号を入力して上記光記録媒体からの反射戻り光が所定値以上であるか否かを反射光検出部により検出し、上記反射光検出部の検出結果を入力して上記パワー制御回路により上記発光素子からの光強度を制御する。
【発明の効果】
【０００７】
請求項１に係る発明によれば、発光素子から照射された光の光記録媒体からの反射戻り光が所定値以上であるか否かを検出して該発光素子から照射される光強度を制御することができる。したがって、本体の先端部を上記光記録媒体に接触させなくても、該光記録媒体に接近させることにより、画像の書き込み、消去の状態に光強度を制御することができる。また、本体内部の先端部近傍に設けられた受光素子で光記録媒体からの反射戻り光を検出して制御するので、該光記録媒体から反射される所定値以上の戻り光がない限り、強度の大きい光は照射されず、誤って操作者の人体、特に肉眼に強度の大きい光が入射するのを防止することができる。このことから、光記録装置の安全性を向上することができる。
【０００８】
また、請求項２に係る発明によれば、パワー制御回路は、反射光検出部で検出した反射戻り光が所定値以上の場合は上記発光素子の光強度を駆動状態に大きくし、反射戻り光が所定値未満の場合は上記発光素子の光強度を非駆動状態に小さくすることにより、上記反射光検出部で検出した反射戻り光が所定値以上であるか否かで、自動的に画像の書き込み、消去の駆動状態又は待機状態に制御することができる。したがって、本体の先端部を上記光記録媒体に接触させなくても、該光記録媒体に接近させることにより、画像の書き込み、消去の状態に光強度を制御することができる。
【０００９】
さらに、請求項３に係る発明によれば、上記受光素子は、上記発光素子の出力光軸を中心としてその周囲に設けたことにより、該発光素子から照射されて光記録媒体から反射される反射戻り光を良く検出することができる。したがって、反射光検出部で上記光記録媒体からの反射戻り光が所定値以上であるか否かを良く検出することができる。
【００１０】
さらにまた、請求項４に係る発明によれば、上記受光素子は、複数個の略等しい形状のものが、上記発光素子の出力光軸の周りに配置されていることにより、該発光素子から照射されて光記録媒体から反射される反射戻り光を、上記複数個の受光素子で一定領域をカバーして良く検出することができる。したがって、反射光検出部で上記光記録媒体からの反射戻り光が所定値以上であるか否かをより良く検出することができる。この場合、本体が傾斜していても、複数個の受光素子のいずれかで光記録媒体から反射される反射戻り光を検出することができる。
【００１１】
また、請求項５に係る発明によれば、上記受光素子は、中心部に孔を有するドーナツ形状のものが、上記発光素子の出力光軸を中心として配置されていることにより、該発光素子から照射されて光記録媒体から反射される反射戻り光を、上記ドーナツ形状の受光素子で一定領域を漏れなくカバーして良く検出することができる。したがって、反射光検出部で上記光記録媒体からの反射戻り光が所定値以上であるか否かをより良く検出することができる。この場合、本体が傾斜していても、ドーナツ形状の受光素子のいずれかの部分で光記録媒体から反射される反射戻り光を確実に検出することができる。
【００１２】
さらに、請求項６に係る発明によれば、上記光記録媒体上に一定間隔で形成され、案内手段となる光反射率の異なる複数個のマークからの反射戻り光を検出する受光素子の検出信号を入力して、上記本体を移動操作する際の移動速度を検出する移動速度検出部を更に設け、この移動速度検出部の検出結果を入力して上記パワー制御回路により上記発光素子からの光強度を制御することにより、上記光記録媒体に対する本体の移動速度に応じて光の照射エネルギー密度を一定値に近づけるように制御することができる。したがって、本体の移動速度が変化しても、同じように線画を書き込むことができる。
【００１３】
さらにまた、請求項７に係る発明によれば、上記パワー制御回路は、上記移動速度検出部で検出した移動速度が速い場合は上記発光素子の光強度を大きくし、移動速度が遅い場合は上記発光素子の光強度を小さくすることにより、上記光記録媒体に対する本体の移動速度の変化に応じて光の照射エネルギー密度が一定となるように制御することができる。したがって、本体の移動速度が変化しても、線画を同じ太さでかすれずに書き込むことができる。このことから、本体の移動速度の変化による光の照射エネルギー不足によって、画像の書き込み、消去が適正に行えない状態を防止できる。
【発明を実施するための最良の形態】
【００１４】
以下、本発明の実施形態を添付図面に基づいて詳細に説明する。
図１は本発明による光記録装置の実施形態を示す断面図である。この光記録装置は、照射される光によって光反射率が変化する材料で形成された光記録媒体に、発光素子から光を照射して画像の書き込み、消去を行うもので、図１に示すように、ケーシング１を本体として、そのケーシング１の内部に、発光素子２と、パワー制御回路３と、受光素子４と、反射光検出部５とを備えている。なお、上記ケーシング１は、樹脂又は金属で円筒状に形成され、全体として例えばペン型に形成されている。
【００１５】
まず、本発明の光記録装置の記録対象物としての光記録媒体６は、照射される光の波長や強度或いは変調度によって光反射率が変化する材料、例えば光ディスクで用いられている共晶系の相変化材料により板状又はフィルム状に形成されており、書換え可能とされている。このような相変化形の光記録媒体６は、非晶質と結晶の間、或いは二つの結晶構造の間の相変化によって光の反射率が変わる性質を利用している。すなわち、短いパルス幅で高エネルギーの光照射により加熱して結晶膜（反射率が高い）を溶融し、急冷して非晶質（反射率が低い）とし記録点として書き込み、また、長いパルス幅で低エネルギーの光照射により加熱して非晶質点を溶融し、徐冷して結晶膜（反射率が高い）とし記録点を消去することができる。
【００１６】
そして、上記発光素子２は、上記光記録媒体６に対しその材料の光反射率を変化させる光を照射するもので、例えばレーザダイオードから成り、上記ケーシング１の内部にてその長手方向の中心軸上に配設され、該ケーシング１の先端部に向けて光を出力するようになっている。なお、上記ケーシング１の先端部７は、例えば透明な樹脂で形成されるか、或いは開口部が形成されており、上記発光素子２から出力された光又は光記録媒体６から反射された光が透過するようになっている。
【００１７】
パワー制御回路３は、上記発光素子２から照射される光の強度を制御するもので、該発光素子２の後方に設けられたモニタ用受光素子８でその発光素子２から照射された光を検出し、該モニタ用受光素子８の検出信号を入力して設定された光強度となるように電流を制御して、上記発光素子２へ供給するようになっている。これにより、上記パワー制御回路３に設定された光強度となるようにフィードバック制御されて、上記発光素子２から照射される光の強度が制御される。
【００１８】
上記ケーシング１内部の先端部近傍には、検出用の受光素子４が設けられている。この受光素子４は、上記発光素子２から照射されて光記録媒体６から反射される反射戻り光を検出するもので、例えばフォトダイオードから成り、上記ケーシング１の内部にて上記発光素子２の出力光軸を中心としてその周囲に設けられており、上記ケーシング１の先端部７の透明部又は開口部を介して光記録媒体６からの反射戻り光を受光するようになっている。
【００１９】
上記受光素子４の出力側には、反射光検出部５が設けられている。この反射光検出部５は、上記受光素子４の検出信号を入力して上記光記録媒体６からの反射戻り光が所定値以上であるか否かを検出するもので、その出力信号は前記パワー制御回路３へ送られるようになっている。そして、このパワー制御回路３は、上記反射光検出部５の検出結果を入力して上記発光素子２から出力される光強度を制御する。このとき、上記パワー制御回路３は、上記反射光検出部５で検出した反射戻り光が所定値以上の場合は上記発光素子２の光強度を駆動状態に大きくし、反射戻り光が所定値未満の場合は上記発光素子２の光強度を非駆動状態に小さくするように制御する。
【００２０】
なお、図１において、上記パワー制御回路３には、記録／消去スイッチ９が接続されており、操作者が使用する際に、光記録媒体６に画像を記録するときは「記録」側にスイッチを操作し、該光記録媒体６に記録された画像を消去するときは「消去」側にスイッチを操作するようになっている。また、電源１０は、配線は図示省略したが、上記各構成要素との間で電気的に接続されている。
【００２１】
ここで、上記反射戻り光の所定値とは、前記発光素子２が待機状態における供給電流により人体、特に肉眼に害を与えない程度の弱い光を出力しているときに、その光が光記録媒体６に当たって反射される戻り光の強度をいう。この状態では、操作者がペン型のケーシング１を握ってその先端部７を光記録媒体６の表面に対向させて所定距離以内に近づけると、その反射戻り光が所定値以上となって発光素子２の光強度を駆動状態に大きくして画像の書き込み、消去が可能となる。また、上記ケーシング１の先端部７を上記光記録媒体６の表面から所定距離より遠くまで離すか、その先端部７の向きを該光記録媒体６の表面に対向しないようにそらすと、その反射戻り光が所定値未満となって発光素子２の光強度を非駆動状態に小さくして待機状態となる。
【００２２】
また、上記受光素子４の反射戻り光の検出において、図２（ａ）に示すように、光記録媒体６の表面にケーシング１を略垂直に対向させた場合は、該光記録媒体６からの反射戻り光は、発光素子２の出力光軸を中心として受光素子４が符号４ａ又は４ｂで示すどちら側に配置されていても検出することができるが、図２（ｂ）に示すように、光記録媒体６の表面にケーシング１を傾けて対向させた場合は、反射光の戻り方向にある一方の受光素子４ａでは検出できるが、他方の受光素子４ｂでは検出できないこととなる。
【００２３】
そこで、例えば、図３（ａ）に示すように、複数個の略等しい形状の受光素子４を上記発光素子２の出力光軸の周りに配置すればよい。例えば正方形に形成された４個の受光素子４ａ，４ｂ，４ｃ，４ｄを、発光素子２の出力光軸の周りに略等しい間隔で等方的に配置する。このようにすると、図２（ｂ）に示すように、光記録媒体６からの反射戻り光がケーシング１の傾斜方向に対応してあらゆる方向に反射しても、いずれかの受光素子４ａ〜４ｄで検出することができる。
【００２４】
また、図３（ｂ）に示すように、中心部に孔４ｈを有するドーナツ形状の受光素子４を、上記発光素子２の出力光軸を中心として配置してもよい。この場合は、上述の図３（ａ）に示す複数個の受光素子４ａ〜４ｄの配置間の隙間が存在しないので、上記光記録媒体６からの反射戻り光がケーシング１の傾斜方向に対応してあらゆる方向に反射しても、漏れなくドーナツ形状の受光素子４で検出することができる。
【００２５】
図４は、図１に示す光記録装置の要部を示す回路図である。光記録媒体６からの反射戻り光Ｒを検出する受光素子４の出力側には、電流／電圧の変換器１１が設けられている。また、上記反射光検出部５は、例えば比較器から成り、一方の入力部に上記変換器１１からの出力信号が入力し、他方の入力部には光記録媒体６からの反射戻り光Ｒが所定値以上であるか否かを検出するための閾値Ｓthが入力するようになっている。そして、パワー制御回路３は、待機時の電流源Ｉ1と、駆動時の電流源Ｉ2と、それぞれをオン、オフするスイッチとしてのトランジスタＴr1，Ｔr2を備えている。
【００２６】
上記待機時の電流源Ｉ1は、前記発光素子２が待機状態（非駆動状態）において人体（肉眼）に害を与えない程度の弱い光を出力するための電流を供給するものである。また、駆動時の電流源Ｉ2は、前記発光素子２が駆動状態において光記録媒体６に光Ｌを照射して画像の書き込み、消去を行うための電流を供給するものである。なお、上記駆動時の電流源Ｉ2は、さらに書き込み時の電流Ｉw、消去時の電流Ｉe、読み取り時の電流Ｉrのように調節可能としてもよい。
【００２７】
次に、このように構成された光記録装置の動作について説明する。まず、図１において、電源１０を投入する。すると、図４において、パワー制御回路３内の第１のトランジスタＴr1がオンして待機時の電流源Ｉ1が導通し、発光素子２に電流Ｉ1が供給されて該発光素子２が人体（肉眼）に害を与えない程度の弱い光Ｌを出力する。この場合、操作者が誤ってケーシング１の先端部７を人に向けても、人体に害はなく安全である。
【００２８】
次に、操作者がケーシング１を握って、図２に示すようにその先端部７を光記録媒体６に対向させると、上記発光素子２から出力された光Ｌは上記光記録媒体６に当たって反射され、その反射戻り光Ｒが受光素子４へ入射する。この受光素子４で検出された検出信号は、図４において、電流／電圧の変換器１１を介して反射光検出部５へ入力するが、ケーシング１の光記録媒体６に対する対向距離が所定距離より大きいときは閾値Ｓthより小さく、上記反射光検出部５は非駆動状態の信号を出力する。
【００２９】
そして、上記ケーシング１の先端部７を光記録媒体６の表面に対してほぼ接触する程度まで所定距離以内に近づけると、その反射戻り光Ｒが所定値以上となって受光素子４へ入射する。この受光素子４で検出された検出信号は、電流／電圧の変換器１１を介して反射光検出部５へ入力し、該反射光検出部５は、予め設定されている閾値Ｓthと比較してそれよりも大きいと判断し、駆動信号を出力してパワー制御回路３へ送る。
【００３０】
すると、図４において、パワー制御回路３内の第２のトランジスタＴr2がオンして駆動時の電流源Ｉ2が導通し、発光素子２に電流Ｉ2が供給されて該発光素子２から出力される光Ｌの強度が駆動状態に大きくされる。これにより、画像の書き込み、消去が可能となる。なお、画像の書き込み又は消去の区別は、操作者がケーシング１を握って光記録媒体６に向ける際に、図１に示す記録／消去スイッチ９を操作して、「記録」側又は「消去」側にスイッチを操作しておけばよい。
【００３１】
その後、操作者が上記ケーシング１の先端部７を上記光記録媒体６の表面から所定距離より遠くまで離すか、その先端部７の向きを該光記録媒体６の表面に対向しないようにそらすと、発光素子２から出力された光Ｌの反射戻り光Ｒが所定値未満となって受光素子４へ入射する。この受光素子４で検出された検出信号は、図４において、変換器１１を介して反射光検出部５へ入力するが、閾値Ｓthより小さいので、上記反射光検出部５は非駆動状態の信号を出力する。これにより、パワー制御回路３内の第２のトランジスタＴr2がオフして駆動時の電流源Ｉ2が遮断される。そして、前述の第１のトランジスタＴr1だけがオンして待機時の電流源Ｉ1が導通を維持し、発光素子２に電流Ｉ1が供給されて該発光素子２が人体（肉眼）に害を与えない程度の弱い光Ｌを出力する。
【００３２】
このようにして、操作者が通常の筆記具を用いて光記録媒体６に書き込む状態と同じようにすれば、自動的に発光素子２の光強度が駆動状態に大きくなり、光記録媒体６に書き込む状態を止めれば、自動的に発光素子２の光強度が非駆動状態に小さくなる。
【００３３】
図５は、本発明の光記録装置の他の実施形態を示す断面図である。この実施形態は、前記光記録媒体６上に一定間隔で形成され、案内手段となる光反射率の異なる複数個のマークからの反射戻り光を検出する受光素子４の検出信号を入力して、上記ケーシング１を移動操作する際の移動速度を検出する移動速度検出部１２を更に設け、この移動速度検出部１２の検出結果を入力して上記パワー制御回路３により上記発光素子２からの光強度を制御するようにしたものである。この場合、上記移動速度検出部１２は、前述の反射光検出部５と並列に設けられており、発光素子２からの光の照射による書き込み又は消去時における移動速度に応じた光強度を制御可能としている。
【００３４】
光ディスク等の光記録媒体６上には、スタンパなどにより設けられた周囲と光反射率の異なる（反射率が高い）ドットやラインから成る案内手段としての複数個のマークが一定間隔で存在する。このような光記録媒体６の表面に対して、ケーシング１を対向させて発光素子２から光を照射しながら移動させ、上記複数個のマークからの反射光を上記受光素子４で検出する。この場合、上記受光素子４で検出した複数個のマークからの反射光の検出信号は、出力電流の変調として検出できる。そして、上記複数個のマークは一定間隔で形成されているので、受光素子４の出力電流の変調周波数でケーシング１の移動速度を検出できる。
【００３５】
図６は、図５に示す他の実施形態の要部を示す回路図である。光記録媒体６からの反射戻り光Ｒを検出する受光素子４の出力側に設けられた電流／電圧の変換器１１とパワー制御回路３との間には、反射光検出部５と並列に移動速度検出部１２が設けられている。そして、この移動速度検出部１２で検出したケーシング１の移動速度の検出結果を上記パワー制御回路３へ送り、駆動時の電流源Ｉ2から発光素子２へ供給する電流Ｉ2を制御するようになっている。このとき、上記パワー制御回路３は、上記移動速度検出部１２で検出した移動速度が速い場合は上記発光素子２の光強度を大きくし、移動速度が遅い場合は上記発光素子２の光強度を小さくする。
【００３６】
例えば、光記録媒体６に対するケーシング１の移動速度が速ければ、移動速度検出部１２で検出した受光素子４の出力電流の変調周波数が大きくなる。この場合は、書き込み又は消去の光出力の強度を強くして、光記録媒体６に対する光の照射エネルギーを大きくする。また、ケーシング１の移動速度が遅ければ、移動速度検出部１２で検出した受光素子４の出力電流の変調周波数が小さくなる。この場合は、書き込み又は消去の光出力の強度を弱くして、光記録媒体６に対する光の照射エネルギーを小さくする。これにより、上記光記録媒体６に対するケーシング１の移動速度の変化に応じて光の照射エネルギー密度が一定となるように制御することができる。したがって、ケーシング１の移動速度が変化しても、線画を同じ太さでかすれずに書き込むことができる。
【００３７】
なお、図５及び図６においては、反射光検出部５と移動速度検出部１２とは、別個のものとして並列に接続したものとしたが、本発明はこれに限られず、上記反射光検出部５及び移動速度検出部１２のそれぞれの機能部品を、１個の回路部品の中に組み込んで構成してもよい。
【図面の簡単な説明】
【００３８】
【図１】本発明による光記録装置の実施形態を示す断面図である。
【図２】上記光記録装置の使用状態を示す断面説明図である。
【図３】受光素子の形状及び配置例を示す平面図である。
【図４】図１に示す光記録装置の要部を示す回路図である。
【図５】本発明の光記録装置の他の実施形態を示す断面図である。
【図６】図５に示す他の実施形態の要部を示す回路図である。
【符号の説明】
【００３９】
１…ケーシング
２…発光素子
３…パワー制御回路
４…受光素子
５…反射光検出部
６…光記録媒体
７…先端部
９…記録／消去スイッチ
１０…電源
１２…移動速度検出回路
【図１】
2006018921.tif 000003
【図２】
2006018921.tif 000004
【図３】
2006018921.tif 000005
【図４】
2006018921.tif 000006
【図５】
2006018921.tif 000007
【図６】
2006018921.tif 000008